(57)【要約】【課題】生後の小さい子牛から、成長した子牛まで、子牛の顔に合うように調整し、装着できる子牛おもてを提供することを目的とする。【解決手段】布ベルトと、Ｄかんとを組合わせて、成長する子牛の顔に合うように調整できることを特徴とするものである。顔回り布ベルとの前の部分と、後部へ回した布ベルトでおもてをつける際の基になる部分と、後頭部回りと、あご下回り布ベルトと、Ｄかんをつけた布ベルトと、顔回り後部に取付けたＤかんと、布ベルトに設けた穴と、穴を留めるカードリングと、後頭部回りを調整するＤかんと、布ベルトを調整するＤかんとを主たる構成としたものである。【選択図】　　　　図１
2004141006.tif 000002
【特許請求の範囲】
【請求項１】
布ベルトと、Ｄかんとを組合わせて成長する子牛の顔に合うように調整できることを特徴とする子牛おもて
【請求項２】
顔回り布ベルトの前の部分と、後部へ回した布ベルトでおもてをつける際の基になる部分と、後部回りとあご下回り布ベルトと、Ｄかんをつけた布ベルトと、顔回り後部に取付けたＤかんと、布ベルトに設けた穴と、穴を留めるカードリングと、後頭部回りを調整するＤかんと、布ベルトを調整するＤかんとを主たる構成とする子牛おもて
【発明の詳細な説明】
【０００１】
【発明が属する技術分野】
本発明は、小さい子牛から大きい子牛の顔につけるために、布ベルトとＤかんとの組合わせにより、１つのおもてにして、取付ける子牛おもてに関するものである。
【０００２】
【従来の技術】
従来からのものは、柔らかいロープを１本で複雑念入りに、あるいは２筋にして簡単な形で造って現在でも使われている。ロープは、芯のガラ妨を外側から８の字に編みこんである。また、化学繊維のポリプロピレンの芯なしで外側だけ８の字で造って、主として７．５ｍｍ程の直径のもので、２筋にしておもてを組み込むのである（図１６，１７参照）。
【０００３】
特開平１１−１６９００８には、第０００８段落に弾性体よりなるＣ字状環体の一端に穿刺杆を設け、他端に前記穿刺杆が係止する結合部を設けた牛の鼻輪において、前記穿刺杆の先端を矢尻状に形成し、該矢尻状部の基部に係止段部と係止突片を設け、前記結合部には、前記穿刺杆が挿入する挿入孔を形成し、該挿入孔に前記穿刺杆の係止段部が係止する係止突片と前記穿刺杆側の係止突片が係止する係止段部を設けたことを要旨とするものであるとの記載がある。
【０００４】
特開平０９−１８２５３８号には、合成樹脂製で馬蹄形に形成した鼻輪２の一端を、台木３の内面一側部に枢軸５によって回動自在とし、他端を尖鋭状に形成すると共に、切込溝７，７を有する突刺杆８とし、この突刺杆８を台木３の他端部の平面開口部１１に入れ、その開口部１１の下に上記突刺杆８と嵌着する嵌着溝２０を有する摺動自在の係合具４を設けて、突刺杆８に設けた切込溝７，７と係合するように構成したことを特徴とする牛用の鼻木の記載がある。
【０００５】
【発明が解決しようとする課題】
子牛の生産地域においては、子牛の顔につけるおもてはなくてはならないものである。しかし、意外とおもては造ることのできる人が少ない。また、できる人でも凡そこのくらいと見当で造るので、子牛の顔にあわなかったり、また、簡単なつくりは外れる恐れと敬遠されたり、また、子牛の成長が速いので、自分で造ることができない時には人に造ってもらうか、店まで行って出来合いのものを調達するか、しなくてはならない。９ヶ月程になるまで飼育するのであるが、その間２、３度取替えなくてはならないので、随分と手間がかかり面倒であるとの問題があった。
子牛でも先行技術のような鼻木、鼻環を用いる生産家が増えつつあるが、小さい子牛のときは用いることができず、また売価価値が落ちるという問題がある。
【０００６】
本発明は、生後の小さい子牛から、成長した大きい子牛まで、子牛の顔に合うように調整し、装着できる子牛おもてを提供することを目的とする。
【０００７】
【課題を解決するための手段】
本願発明者は、鋭意研究の結果、布ベルトとＤかんを選んで１組のおもてに仕立て、小さい子牛から大きい子牛まで、子牛の顔に合うように調整し、装着できるようにすることにより発明を完成し、上記課題を解決した。すなわち、本発明のＤかんとは、布ベルトと布ベルトの継ぎ目を設けて、子牛の顔の大きさに合うように調整を頻繁に繰り返しても布ベルトが痛まない役割をする金具のことである。プラスチック成形したものも含まれる。
本発明の布ベルトは、化学繊維や天然繊維で造られたショルダーベルト、プラスチックシートベルトなどの扁平なものである。本革ベルトも悪くはないが、長期間使うと硬くなったり、折れるおそれがある。
【０００８】
本発明の子牛おもては、布ベルトと、Ｄかんとを組合わせて成長する子牛の顔に合うように調整できることを特徴とする。
本発明の子牛おもては、顔回り布ベルトの前の部分と、後部へ回した布ベルトでおもてをつける際の基になる部分と、後頭部回りと、あご下回り布ベルトと、Ｄかんをつけた布ベルトと、顔回り後部に取付けたＤかんと、布ベルトに設けた穴と、穴を留めるカードリングと、後頭部回りを調整するＤかんと、布ベルトを調整するＤかんとを主たる構成とする。
【０００９】
【発明の実施の形態】
本発明の実施の形態を本発明の実施例の子牛おもてに基づいて説明する。本発明の実施例の子牛おもての斜視図を図１に示す。本発明は、布ベルトとＤかんとの組合わせである。本発明の子牛おもては、顔回り部１と後頭部回り部３とあご下部４から成り立っている。布ベルトは、化学繊維で作られたショルダーベルトであり、幅２〜３ｃｍ、厚さ２ｍｍ前後であり、Ｄかんは鉄クロームメッキで、内径は２〜３ｃｍである。
これを２個１組にして布ベルトを調整する。下から通して上のほうへ折り返して引くと良く締まる。布ベルトはロープで加工するよりかさばらず、丈夫で長持ちし、調整も容易である。
【００１０】
子牛も生後９か月から１０ヶ月も経過すると、顔もずいぶん大きくなり、体重も３００ｋｇ前後にもなるので、これに見合うおもてにしなくてはならない。
子牛には、生後１ヶ月内外のうちから、おもてをつけるようにしておかないと、３〜４か月経過してからでは嫌ってつけさせまいとする。そうなると、飼い主は制御・調教ができなくなる。もっとも近年は、若い男性の飼育者が少なくなって元気な子牛は、高齢者や婦人では引留めが困難になるということで、競り市の直前に鼻輪をつけても良いことになっている。
【００１１】
子牛の生後９ヶ月程の顔に合うようにすれば、図１の前の部分から後部２への顔回りを８０ｃｍの長さに、後頭部回り３を９５ｃｍ、あご下回り４を７０ｃｍ、Ｄかん９と１０の１１からの取付部ベルト５を２０ｃｍ設けることが好ましい。
【００１２】
子牛は９ヶ月から１０ヶ月経つと、競り市場へ出場させて、せりにかけられる。その際は、畜産連合会から必ず新品の競り市用おもてと引き綱を指定のものを別口につけるようにとの指導が有る。従ってこのおもては、それまでに飼育する期間中だけに使用するものである
【００１３】
おもての各部分について、その役割を図によって説明する。子牛の顔の向きに沿って左後方からの斜視全体図を図１に示す。
１．顔回りベルトの前の部分
２．１から後部へ回した布ベルトの２で１とともにおもてをつける際の基になる部分
３．後頭部回り布ベルト
４．あご下回り布ベルト
５．Ｄかん９と１０をつけた布ベルト
６．顔回り後部に取付けたＤかん
７．布ベルトに設けた穴
８．穴を留めるカードリング
９．後頭部回りの布ベルト３を調整するＤかん
１０．布ベルト４を調整するＤかんで、
以上がおもての主たる部分で、以下は部分図で詳しく説明する。
【００１４】
図２は、布ベルト５に取付けたＤかん９と１０の詳細図である。
Ｄかん９は、子牛の後頭部から・Ｄかん１０はあご下回り布ベルトの調整をする役で、この２個をつけている布ベルト５は、子牛の前の部分の布ベルト１の１１に取付けたものであって、きつく縫いこんではあるが、少しずつ移動させて子牛の顔の大きさにあわせる。
布ベルトを裁断・加工する際は、切り口がほつれやすいので、すぐに熱で焼き固めてからにしたほうがよい。
【００１５】
図３は、布ベルト２上に設けたＤかん６と、はずれないための穴と、それを留めるカードリングの詳細図である。
Ｄかん６は、顔回りの大きさを調整、すなわち布ベルトと子牛との間隔を、大人の手のひらが入る程度にとってＤかん６で締める。きついと口があけられず、食事もできず、ゆるいと目元をこするゆえ、このあたりの加減をよく心得なくてはならない。そして、顔から布ベルトが外れるのを懸念して、最初に子牛の顔につける大きさを、直径１０ｃｍ前後と見て、Ｄかんの付け根から布ベルト１を通して、約３０ｃｍほどの位置から２ｃｍ間隔に１０ヶ所穴を設けて、目安として手のひらを差し込んで、Ｄかんで締めたならば、Ｄかんに１番近い穴にカードリングを差し込む。
【００１６】
布ベルトの穴７は、火箸で焼くようにすれば、焼いた穴が固まってほつれないし、８のカードリングもつけたりはずしたりのあとの作業も容易になる。図２のＤかん９と１０の接合部の点線は、丈夫な糸での縫いあわせで動かないが、しっかりと縫いとめておく。Ｄかんを一ヶ所に纏めるのは、おもて製造過程の省力化と子牛におもてを取付ける際の操作の簡易化である。
【００１７】
布ベルト５の子牛の前の部分１からの取付部の詳細図を図４に示す。
布ベルト５には、Ｄかん９とＤかん１０を設けて、後頭部回りの布ベルト３をＤかん９で、あご下まわり布ベルト４をＤかん１０で調整するために、取り付けた布ベルトで、その取付部１１は、子牛に向かって右側の側面部に位置しきつく、布ベルト１との接触部は縫込んでも調整の都合上少しずつでもずらせるようにする。
図の点線は、丈夫な糸での縫いあわせで動かないが、しっかりと縫いとめておく。ずらせても、顔回りの調整は、Ｄかん６でやるのでほんの少しで済むようにする。
【００１８】
布ベルト３への取付部の詳細図を図５に示す。
子牛に向かって左側の側面部に位置し、布ベルト１からの取付部１２は布ベルト５と共に真横に位置しなくてはならない。この場所からのびる布ベルト３、布ベルト４への基になる。故に１の布ベルトとの接触部は、縫付がきつくても調整上少しずつずらせるようにする。
図の点線は、丈夫な糸での縫い合わせ部である。
【００１９】
図６は、あご下回り布ベルト４の取付部の詳細図を示す。
子牛に向かって左側面部後頭部回り布ベルト３の中途１５ｃｍの位置にあご下回り布ベルト４を取り付ける。おもてがはずれないようにする為には、この布ベルト４は重要な役割をもつ。故に、この取付部１３もなくてはならない部分にて、きつく縫込んでも少しずつずらせるようにする。図の点線は、丈夫な糸での縫い合わせ部である。
【００２０】
図７は、あご下１４の２段構えの遊びの詳細図を示す。
あご下の中心部に位置し、下段を布ベルト２を上段を布ベルト４を通す。ここは、布ベルト２本をどうしても通さなくてはならない所で、１ヶ所にまとめて作業の簡素化と子牛に対するおもてそのものの強化をはかる。
図中の点線は、上段に布ベルト４を、下段に布ベルト２を仕分けて通しやすくするのに丈夫な糸で仕分けて真ん中を縫いつけておく。
こうすると布ベルトが乱れない。
【００２１】
図８は布ベルトに取付ける布ベルトの遊びのことにて、大きくなった子牛に取付ける場合を準備しているので、生まれて日の浅い子牛には余りの布ベルトが長いので、布ベルトが乱れて他に支障を起こさないように図のように、各Ｄかん近くに設置する。
１５・１６・１７・１８はベルトを留める遊びである。図の点線は、丈夫な糸での縫い合わせ部で、子牛の顔の大きさに合わせるので、きつく縫込んでも、少しずつ調整することができる。
【００２２】
図９は、遊びを通してもなお、余りある場合には一旦通しても折り返して留める図である。１９は、布ベルトの先端を少し細くして丸みをつけて、ほつれないように熱で焼き固めておく。このようにすると、Ｄかんや遊びの部分を通すにしても、何ら支障なく通すことができて作業がはかどる。図は、斜視図で示し、特に布ベルトを折り返して、布ベルトの余分な遊び部分の処置を強調している。
【００２３】
図１０は、各部分図に書いてはあるが、その部分についてもっと詳しく記述する。Ｄかんは、部分として６・９・１０に書いてはあるが、１個としては右端のようになっていて、金属のクロームメッキで内径が、１ｃｍと２．５ｃｍでこれを２個組にして布ベルトを締めるのである。カードリングは金属製で文具を留めるのによく使うが、布ベルトの穴を留めるのに利用する。布ベルト先端１９は、Ｄかんや布ベルト上の遊びを通し易くするために先端部を細く丸くして熱で焼き固めておく。プラスチック成形したものも、このＤかんに含まれる。
【００２４】
図１１は、以上各部分の説明を述べたが、これを実際に子牛の顔に取付けた場合を説明する。図は子牛の顔の向きにに沿った左側面図である。
まず、布ベルト３を後頭へと廻してＤかん９で締める。布ベルト１から２へと廻してＤかん６で締める。あご下廻りはベルト４で、遊び１５・２段１４・遊び１６を１通り通してＤかん１０で締める。３カ所のＤかんを１通り締めたならば、Ｄかん６の調整を大人の手のひらが入る程度の間隔をとってから締めたならば、布ベルトの穴がＤかんに一番近いところにカードリングを差し込んで、最終的に止める。
布ベルト３は、子牛の口の端から３ｃｍ上の位置からほぼ水平に近い高さのベルト１を見て、Ｄかん９で留める。布ベルト４は締めつけすぎず、ゆるめすぎずの加減で、Ｄかん１０を調整する。布ベルトの遊びは、調整の過程で適当に位置を決める。
【００２５】
図１２は、子牛の顔の向きに沿って、右側面図である。
子牛の顔の向きが左から右へ変わった丈にて図１１とベルトの位置等何ら変わりはないけれど、図１１の布ベルとの位置と正確に真向かいになって、図中１２と１３の取付け部がずれていないかをよく点検して、子牛に不快感を与えないようにする。
【００２６】
図１３は、子牛に向かって正面図である。
図面中央の布ベルト１は、子牛の口の端から３ｃｍ上の位置から、顔周りの２の後部へと廻し、ほぼ水平を保ってＤかん６で調整するのである。子牛を引き出す場合には、真正面の中央の布ベルトにロープをかけて引き出す。
飼育者も、ここにロープをかける。側面や顎下よりもこの位置が一番効き目があるようで、ロープは化繊物ならば、直径９ｍｍが適当である。
【００２７】
図１４は、子牛顎下の正面図である。
主として、遊び１４の２段構造の詳細図である。どうしても布ベルト２・布ベルト４を通さなくてはならないため、２カ所設けるよりも１カ所にまとめて、作業の簡素化と、おもて後部の強化を図るためである。布ベルト遊び１４の点線は、布ベルト２と４の二段に仕分けするのに丈夫な糸で縫い付けたもので、切れないようにしっかりと縫い付ける。布ベルト２の６はＤかんであり、布ベルト上の穴７は布ベルトがはずれるのを予防する。穴７を１０ヶ所２ｃｍ間隔に設け、カードリング８により止める。
【００２８】
図１５は、Ｄかん近くの遊びの脱落防止糸の詳細図である。
Ｄかんから２０ｃｍほどの位置まで丈夫な糸を布ベルト上の側端部に縫い付けると、ずれ落ちないのを防止するので、装着作業が容易となる。
主として、Ｄかん６の近くで布ベルトに穴を設けるのと同じように、Ｄかんの位置から３０ｃｍ程の位置から布ベルとの両側のどちらでも強くても細い糸２１を２０ｃｍ程縫い込んでおく。Ｄかんと布べルトには、幅が違うのでＤかんに入っても支障はない。
【００２９】
図１６は、従来からのおもてで現在でも使用している。材料は、赤白・赤黄・紫・黒と一般に使用されていて、芯にガラ紡をつめて外側を８の字型に織り込んで、１本のロープに仕立てて、１巻２００米にして市販されている。
それを飼育者や商売の人たちが仕入れておもてに加工するのである。材料が柔らかく安価で加工しやすく、おもてと言えばこのロープのおもてが一般的である。１本のロープを５ｍ程切断して、下部を３本撚りに、上部は２筋に加工してある。しかし、これも造られるようになるには面倒がらず、ある程度複雑なため熟練がいるし、ロープもさほど長持ちせず、一度造ればほどいてゆずりあわせて大きくしようとしても、思うようにいかないのが難点である。また、このおもての加工は、主として高齢者が多く、年を経るにつれてこれら高齢者も少なくなってきた。
【００３０】
図１７は、近年使われるようになってきたおもてで、簡単な造りで簡便である。材料は、ポリプロピレンで、芯なしで外側を編んであるから柔らかく、おもての加工がやりやすいが、これでよいとする地域もあったり、簡単すぎてはずれると敬遠する地域もある。
ロープ自体は強く腐らないのだが、一度子牛の顔につけてからでは、固く締まって指先程度の力では、離してまた使うということは無理である。
【００３１】
【発明の効果】
以上説明したように本発明の子牛おもては、小さい子牛から大きい子牛まで、子牛の顔に合うように調整し、装着できる。
丈夫な糸での縫い合わせ部で、子牛の顔の大きさに合わせるので、きつく縫込んでもすこしづつ調整することができる。
Ｄかんで調整するので、装着作業が容易である。
また、Ｄかんを１ヵ所に纏めているので、おもて製造過程の省力化と子牛におもてを取付ける際の操作が簡易となる
せりが終了後、この子牛おもてを再利用できる。
本発明の子牛おもては、布ベルトとＤかんの簡単な組合わせであるため、熟練を要しないで製造できる。
【図面の簡単な説明】
【図１】子牛の顔の向きに沿って左後方からの全体斜視図である。
【図２】Ｄかん９と１０の取付部分詳細図である。
【図３】Ｄかん６と７・カードリング８の詳細図である。
【図４】布ベルト５の１１による取付部である。
【図５】布ベルト３の１２の取付部である。
【図６】布ベルト４の１３による取付部である。
【図７】あご下２段構造１４の遊びの詳細図である。
【図８】布ベルトの遊びで小さい子牛にはＤかんにて、調整後の布ベルトの余分が多いために乱れないように随所に遊びを設けた説明図である。
【図９】１度ベルトを通しても更に余るようならば折り返して留める図である。
【図１０】右端はＤかん・中央カードリング・左端は布ベルト先端部の部品の説明図である。
【図１１】おもてを子牛に取付けた際の子牛の顔の向きに沿って左側面図である。
【図１２】おもてを子牛の顔に取付けた際の子牛の顔の向きに沿って右側面図である。
【図１３】おもてを子牛の顔に取付けた際の子牛に向かって正面図である。
【図１４】子牛あご下の正面図である。
【図１５】遊びの脱落防止糸の説明図である。
【図１６】従来からの子牛おもてを示した説明図である。
【図１７】近年使われるようになったおもてを示した説明図である。
【符号の説明】
１　布ベルトおもての前部
２　布ベルトおもての後部
３　布ベルトおもての後頭部廻り
４　布ベルトおもてのあご下廻り
５　Ｄかんをつけた布ベルト
６　後部布ベルト２に取付けたＤかん
７　布ベルトに設けた穴
８　穴を留めるカードリング
９　布ベルト３を調整するＤかん
１０　布ベルト４を調整するＤかん
１１　布ベルト５の取付け部
１２　布ベルト３の取付け部
１３　布ベルト４の取付け部
１４　あご下２段の遊び
１５、１６、１７、１８　布ベルトにつけた遊び
１９　Ｄかんと布ベルトを通しやすくした布ベルトの先端
２０　子牛につけた引綱
２１　布ベルトにつけた遊びの脱落防止糸
５１　顔回り子牛につける前の部分
５２　顔回り子牛につける後の部分
５３　　後頭部回り
６５　　あご下回り
５５　最後の結び目
６４　あご下結び目
５４　最後の結び目
【図１】
2004141006.tif 000003
【図２】
2004141006.tif 000004
【図３】
2004141006.tif 000005
【図４】
2004141006.tif 000006
【図５】
2004141006.tif 000007
【図６】
2004141006.tif 000008
【図７】
2004141006.tif 000009
【図８】
2004141006.tif 000010
【図９】
2004141006.tif 000011
【図１０】
2004141006.tif 000012
【図１１】
2004141006.tif 000013
【図１２】
2004141006.tif 000014
【図１３】
2004141006.tif 000015
【図１４】
2004141006.tif 000016
【図１５】
2004141006.tif 000017
【図１６】
2004141006.tif 000018
【図１７】
2004141006.tif 000019